(57)【要約】【課題】傾斜地に設置することに適し、ネズミやウサギの如き小動物が地面を潜って侵入したり、又はキツネやタヌキの如き中型動物等がよじ登って侵入することを防ぐ防獣フェンスとしての適性がある格子金網及び同格子金網を用いた格子形フェンスを提供する。【解決手段】少なくとも２本の線材４を相互に捻って形成され平行に配置された複数の縦格子材２…と、縦格子材２の捻りの一つへ通されて平行に支持された複数の横線材３…とで構成されている。【選択図】図１
2006122047.tif 000002
【特許請求の範囲】
【請求項１】
少なくとも２本の線材を相互に捻って形成され平行に配置された複数の縦格子材と、前記縦格子材の捻りの一つへ通されて平行に支持された複数の横線材とで格子状に構成されていることを特徴とする、フェンス用格子金網。
【請求項２】
横線材には、縦格子材と交差する箇所に同縦格子材を嵌める凹部が設けられていることを特徴とする、請求項１に記載したフェンス用格子金網。
【請求項３】
少なくとも２本の線材を相互に捻って形成され平行に配置された複数の横格子材と、前記横格子材の捻りの一つへ通されて平行に支持された複数の縦線材とで格子状に構成されていることを特徴とする、フェンス用格子金網。
【請求項４】
縦線材には、横格子材と交差する箇所に同横格子材を嵌める凹部が設けられていることを特徴とする、請求項３に記載したフェンス用格子金網。
【請求項５】
横格子材又は横線材の両端部、及び／又は縦格子材又は縦線材の上端部にカールナックルが形成されていることを特徴とする、請求項１〜４のいずれか一に記載したフェンス用格子金網。
【請求項６】
複数の縦格子材又は縦線材の一部が上方へ伸びて忍びを形成すると共に、前記忍び付きの縦格子材又は縦線材は疎なピッチで配置され、前記疎なピッチの忍び付きの縦格子材又は縦線材の間に忍びがない縦格子材又は縦線材が複数本等ピッチで平行に配置されていることを特徴とする、請求項１〜５のいずれか一に記載したフェンス用格子金網。
【請求項７】
フェンス用格子金網を支柱に取り付けて成る格子形フェンスであって、
前記フェンス用格子金網は、少なくとも２本の線材を相互に捻って形成され平行に配置された複数の縦格子材と、前記縦格子材の捻りの一つへ通されて平行に支持された複数の横線材とで構成されており、
前記横線材が支柱に固定具で支持されていることを特徴とする、格子形フェンス。
【請求項８】
フェンス用格子金網を支柱に取り付けて成る格子形フェンスであって、
前記フェンス用格子金網は、少なくとも２本の線材を相互に捻って形成され平行に配置された複数の横格子材と、前記横格子材の捻りの一つへ通されて平行に支持された複数の縦線材とで構成されており、
前記横格子材が支柱に固定具で支持されていることを特徴とする、格子形フェンス。
【請求項９】
フェンス用格子金網において支柱の位置でラップする横格子材又は横線材の端部が前記支柱の前面に重ね合わされ、前記重ね合わされた端部を抱き抱えるフック部を備えた平面視がＵ字形状固定具で前記端部が支柱に支持されていることを特徴とする、請求項７又は８に記載した格子形フェンス。
【請求項１０】
支柱にＬ型フックが設けられており、横格子材又は横線材の両端部にカールナックルが形成され、該カールナックルが前記支柱の対応するＬ型フックへ掛け止められ支持されていることを特徴とする、請求項７又は８に記載した格子形フェンス。
【請求項１１】
支柱に設けられたＬ型フックの全部又は一部の頭部にネジ部が形成されており、
前記Ｌ型フックへ掛け止めた横格子材又は横線材のカールナックルは、同Ｌ型フックのネジ部へねじ込んだナットで固定されていることを特徴とする、請求項７又は８若しくは１０に記載した格子形フェンス。
【請求項１２】
複数の縦格子材又は縦線材の一部が上方へ伸びて忍びを形成していると共に、前記忍び付きの縦格子材又は縦線材は疎なピッチで配置され、前記疎なピッチの忍び付き縦格子材又は縦線材の間に忍びがない縦格子材又は縦線材が複数本等ピッチで平行に配置されていることを特徴とする、請求項７〜１１のいずれか一に記載した格子形フェンス。
【請求項１３】
縦格子材又は縦線材若しくは忍びがない縦格子材又は縦線材の上端部にカールナックルが形成されており、
支柱にアイボルトが設けられており、各縦格子材又は縦線材のカールナックルへ胴縁線が通され、該胴縁線が支柱のアイボルトへ通されて支持されていることを特徴とする、請求項７〜１２のいずれか一に記載した格子形フェンス。
【請求項１４】
縦格子材の下端は、地面にハの字形状に埋め込まれることを特徴とする、請求項７〜１３のいずれか一に記載した格子形フェンス。
【請求項１５】
平面視が略Ｕ字形状をなし、側面方向に見ると先端にフック部を備えた両腕の後背部に支柱の背面へ突き当たる押しボルトを備えたＵ字形状固定具の前記フック部で、前記支柱の前面に重ね合わされたフェンス用格子金網の横格子材又は横線材の端部が抱き抱えられ、前記押しボルトを支柱の背面へ強く押し当てて前記金網の横格子材又は横線材の端部が支柱へ固定されていることを特徴とする、フェンス用格子金網の支柱固定構造。
【請求項１６】
Ｕ字形状固定具の両腕の内周縁は、平面視において支柱の外周縁よりも少し大きい間隔で形成されていることを特徴とする、請求項１５に記載したフェンス用格子金網の支柱固定構造。
【発明の詳細な説明】
【技術分野】
【０００１】
この発明は、特に傾斜地に設置することに適し、更に云えば、ネズミやウサギの如き小動物が地面を潜って侵入したり、又はキツネやタヌキの如き中型動物等がよじ登って侵入することを防ぐ防獣フェンスとしての適性がある格子金網及び同格子金網を用いた格子形フェンスの技術分野に属する。
【背景技術】
【０００２】
従来、平坦地及び山間部等の傾斜地に設置するフェンスとして、一定ピッチで平行に配置された複数の縦線材と横線材とを縦横に配置して格子状に構成し、該縦線材と横線材とが交差する箇所で縦線材と横線材とを溶接したフェンス用格子金網を、地盤の基礎コンクリートに立設された支柱に取り付けた格子形フェンスがある。しかし、一般的に山間部等の傾斜地は凹凸が激しく、その傾斜角度に合わせて設置することが非常に難しい。前記格子形フェンスを傾斜地に設置する場合、いわゆる溶接金網であるが故に変形性がなく、傾斜地への対応性に欠ける。そのため、予め縦線材へ傾斜地の角度に合わせた横線材を溶接した専用のフェンス用格子金網を製造しなければならず、生産性が悪くコストも嵩む。
【０００３】
そこで、前記傾斜地に合わせて縦線材又は横線材の傾斜角度を自由に変化させることができ、設置が容易な格子形フェンスが種々開示され実用に供されている。例えば、下記の特許文献１に開示された格子形フェンスは、縦胴縁と横胴縁の端部を回転可能に連結して外枠を形成し、この外枠の面内に縦線材と横線材とを格子状に編み込み交差箇所で溶接せずに単に接触させて形成したフェンス用格子金網を組み入れ、外枠の回転に伴い格子金網を変形可能とした構成である。
【０００４】
特許文献２に開示された格子形フェンスは、縦線材と横線材とが交差する箇所で縦線材及び横線材に凹みを設け、該凹みを溶接せずに単に嵌め合わせて格子状に編み込み、横線材を傾斜地の角度に合わせて自在に変形が可能とした構成である。
【０００５】
【特許文献１】実開昭６１−８５６７０号公報
【特許文献２】特開２００２−８１２３１号公報
【発明の開示】
【発明が解決しようとする課題】
【０００６】
上記特許文献１に開示された格子形フェンスは、縦胴縁と横胴縁とを回転可能に連結したり、縦線材と横線材とを格子状に編み込んだりと製造に手間が掛かり、生産性が悪い。
【０００７】
上記特許文献２に開示された格子形フェンスは、縦線材と横線材とが交差する箇所に縦線材と横線材とを組み合わせるための凹みを双方に設け、これらの凹みを相互に嵌め合わせて編み込むので、上記特許文献１と同様、製造に手間が掛かり、生産性が悪い。
【０００８】
本発明の目的は、傾斜地に設置することに適し、比較的安価に製造できて生産性が高く、その上防獣効果及び意匠性に優れたフェンス用格子金網及び同格子金網を用いた格子形フェンスを提供することである。
【課題を解決するための手段】
【０００９】
上述した従来技術の課題を解決するための手段として、請求項１に記載した発明に係るフェンス用格子金網は、
少なくとも２本の線材４を相互に捻って形成され平行に配置された複数の縦格子材２…と、前記縦格子材２の捻りの一つへ通されて平行に支持された複数の横線材３…とで格子状に構成されていることを特徴とする。
【００１０】
請求項２に記載した発明は、請求項１に記載したフェンス用格子金網において、
横線材３には、縦格子材２と交差する箇所に同縦格子材２を嵌める凹部５が設けられていることを特徴とする。
【００１１】
請求項３に記載した発明に係るフェンス用格子金網は、
少なくとも２本の線材４を相互に捻って形成され平行に配置された複数の横格子材３…と、前記横格子材３の捻りの一つへ通されて平行に支持された複数の縦線材２…とで格子状に構成されていることを特徴とする。
【００１２】
請求項４に記載した発明は、請求項３に記載したフェンス用格子金網において、
縦線材２には、横格子材３と交差する箇所に同横格子材３を嵌める凹部５が設けられていることを特徴とする。
【００１３】
請求項５に記載した発明は、請求項１〜４のいずれか一に記載したフェンス用格子金網において、
横格子材又は横線材３の両端部、及び／又は縦格子材又は縦線材２の上端部にカールナックル６が形成されていることを特徴とする。
【００１４】
請求項６に記載した発明は、請求項１〜５のいずれか一に記載したフェンス用格子金網において、
複数の縦格子材又は縦線材２…の一部が上方へ伸びて忍び８を形成していると共に、前記忍び８付きの縦格子材又は縦線材２ａ…は疎なピッチで配置され、前記疎なピッチの忍び８付き縦格子材又は縦線材２ａの間に忍び８がない縦格子材又は縦線材２ｂ…が複数本等ピッチで平行に配置されていることを特徴とする。
【００１５】
請求項７に記載した発明に係る格子形フェンスは、
フェンス用格子金網１’を支柱９に取り付けて成る格子形フェンス１であって、
前記フェンス用格子金網１’は、少なくとも２本の線材４を相互に捻って形成され平行に配置された複数の縦格子材２…と、前記縦格子材２の捻りの一つへ通されて平行に支持された複数の横線材３…とで構成されており、
前記横線材３が支柱９に固定具で支持されていることを特徴とする。
【００１６】
請求項８に記載した発明に係る格子形フェンスは、
フェンス用格子金網１’を支柱９に取り付けて成る格子形フェンス１であって、
前記フェンス用格子金網１’は、少なくとも２本の線材４を相互に捻って形成され平行に配置された複数の横格子材３…と、前記横格子材３の捻りの一つへ通されて平行に支持された複数の縦線材２…とで構成されており、
前記横格子材３が支柱９に固定具で支持されていることを特徴とする。
【００１７】
請求項９に記載した発明は、請求項７又は８に記載した格子形フェンスにおいて、
フェンス用格子金網１’において支柱９の位置でラップする横格子材又は横線材３の端部が前記支柱９の前面に重ね合わされ、前記重ね合わされた端部を抱き抱えるフック部１８、１８を備えた平面視がＵ字形状固定具１７で前記端部が支柱９に支持されていることを特徴とする。
【００１８】
請求項１０に記載した発明は、請求項７又は８に記載した格子形フェンスにおいて、
支柱９にＬ型フック１０が設けられており、横格子材又は横線材３の両端部にカールナックル６が形成され、該カールナックル６が前記支柱９の対応するＬ型フック１０へ掛け止められ支持されていることを特徴とする。
【００１９】
請求項１１に記載した発明は、請求項７又は８若しくは１０に記載した格子形フェンスにおいて、
支柱９に設けられたＬ型フック１０の全部又は一部の頭部にネジ部１０’が形成されており、
前記Ｌ型フック１０へ掛け止めた横格子材又は横線材３のカールナックル６は、同Ｌ型フック１０のネジ部１０’へねじ込んだナット１４で固定されていることを特徴とする。
【００２０】
請求項１２に記載した発明は、請求項７〜１１のいずれか一に記載した格子形フェンスにおいて、
複数の縦格子材又は縦線材２の一部が上方へ伸びて忍び８を形成していると共に、前記忍び８付きの縦格子材又は縦線材２ａは疎なピッチで配置され、前記疎なピッチの忍び８付の縦格子材又は縦線材２ａの間に忍び８がない縦格子材又は縦線材２ｂが複数本等ピッチで平行に配置されていることを特徴とする。
【００２１】
請求項１３に記載した発明は、請求項７〜１２のいずれか一に記載した格子形フェンスにおいて、
縦格子材又は縦線材２若しくは忍び８がない縦格子材又は縦線材２ｂの上端部にカールナックル６が形成されており、
支柱９にアイボルト１１が設けられており、各縦格子材又は縦線材２のカールナックル６へ胴縁線１２が通され、該胴縁線１２が支柱９のアイボルト１１へ通されて支持されていることを特徴とする。
【００２２】
請求項１４に記載した発明は、請求項７〜１３のいずれか一に記載した格子形フェンスにおいて、
縦格子材２の下端は、地面にハの字形状に埋め込まれることを特徴とする。
【００２３】
請求項１５に記載した発明に係るフェンス用格子金網の支柱固定構造は、
平面視が略Ｕ字形状をなし、側面方向に見ると先端にフック部１８、１８を備えた両腕の後背部に支柱９の背面へ突き当たる押しボルト１９を備えたＵ字形状固定具１７の前記フック部１８、１８で、前記支柱９の前面に重ね合わされたフェンス用格子金網１’の横格子材又は横線材３の端部が抱き抱えられ、前記押しボルト１９を支柱９の背面へ強く押し当てて前記金網１’の横格子材又は横線材３の端部が支柱９へ固定されることを特徴とする。
【００２４】
請求項１６に記載した発明は、請求項１５に記載したフェンス用格子金網の支柱固定構造において、
Ｕ字形状固定具１７の両腕の内周縁は、平面視において支柱９の外周縁よりも少し大きい間隔で形成されていることを特徴とする。
【発明の効果】
【００２５】
本発明のフェンス用格子金網及び同格子金網を用いた格子形フェンスは、縦格子材と横線材材とが固着されておらず、該横線材の変化に伴って縦格子材も上下方向へ移動する構成なので、たとえ凹凸の激しい傾斜地であってもその傾斜角度に合わせて変形させることができ、しっかり且つ容易に設置することができる。しかも、少なくとも２本の線材を相互に捻って形成された複数の縦格子材（又は横格子材）の捻りの一つへ横線材（又は縦線材）を通した簡易な構成であるから比較的安価に製造でき、生産性が高い。更に、傾斜面との間に不要な隙間を形成することがないので、防獣フェンスとしての効果も高く、意匠性に優れた外観も得ることができる。
【発明を実施するための最良の形態】
【００２６】
少なくとも２本の線材４を相互に捻って形成され平行に配置された複数の縦格子材２…と、前記縦格子材２の捻りの一つへ通されて平行に支持された複数の横線材３…とでフェンス用格子金網１’を構成する。前記フェンス用格子金網１’の横線材３を支柱９へ固定具で支持させて格子形フェンス１を構成する。
【実施例１】
【００２７】
図１は、請求項１に係るフェンス用格子金網の実施例を示した。
このフェンス用格子金網１’は、図２Ａに拡大して示すように、金属製である２本の線材４、４（直径４ｍｍ程度）を相互に捻って形成され一定ピッチで平行に配置された複数の縦格子材２…と、前記縦格子材２の捻りの一つへ通されて平行に支持された金属製であり単線から成る複数の横線材３…（直径６ｍｍ程度）とで格子状に構成されている。前記横線材３は、間隔の狭い配置と、間隔の広い配置とを組み合わせることで、例えば侵入者がフェンスを超えて侵入しようとするときに足がかりのし難い効果を得ることができる。勿論、図示した構成に限らず、例えば等間隔に配置した構成として実施しても良い。また、両端に配置した縦格子材２の下端は、後述する支柱の基礎コンクリートに設置するため、その他の縦格子材２の下端よりもやや短い長さとしている。
【００２８】
前記縦格子材２は、横線材３が通される箇所の捻りのピッチは小さく捻られ、前記箇所以外の捻りのピッチは大きく捻られている（図２Ａ）。また、横線材３と交差する箇所には、図３Ａ、Ｂに示すように、同横線材３を嵌める凹部５が設けられており、該凹部５で横線材３をしっかりと保持すると共に、前記横線材３を通すことによる膨らみを抑えて意匠性に優れた外観を呈することができる。なお、図２Ｃに示すように、縦格子材２の捻りのピッチについては、全長にわたり等ピッチの捻りとした構成で実施することも好ましい。
【００２９】
前記横線材３の両端部には、カールナックル６が形成されている。また、縦格子材２を構成する２本の線材の上端部にもカールナックル６が隣接して形成されている（図２Ａ、Ｂ参照）。
【００３０】
上記フェンス用格子金網１’を支柱に取り付けて形成した格子形フェンス１の実施例を図４〜図８に基づいて説明する。
前記フェンス用格子金網１’は、地盤の基礎コンクリートに立設された支柱９、９間に固定具で支持されている（図４Ａ参照）。前記固定具として、前記支柱９の上下にＬ型フック１０が前記横格子材３と同ピッチで複数設けられており（図５参照）、前記横線材３のカールナックル６が対応するＬ型フック１０へ双方から掛け止められている（図６参照）。最下段のＬ型フック１０の頭部にはネジ部１０’が形成されており、Ｌ型フック１０へ掛け止められた前記横線材３のカールナックル６は、同Ｌ型フック１０のネジ部１０’へワッシャー１３を挟んでねじ込んだナット１４で固定されている（図７参照）。勿論、頭部にネジ部１０’を形成したＬ型フック１０は、最下段のみに限らず、全部又はその他一部に実施しても良い（請求項７、１０及び１１記載の発明）。
【００３１】
また、図４に示したように、前記支柱９の上方部分にアイボルト１１がその孔を水平方向に向けた配置に設けられており、各縦格子材２のカールナックル６へ胴縁線１２が通され、該胴縁線１２が支柱９のアイボルト１１へ通されて支持されている（詳細な図示は省略）。つまり、各縦格子材３は、共通に通された胴縁線１２と共に支柱９へ支持された構成である（請求項１３記載の発明）。
【００３２】
本発明に係るフェンス用格子金網１’及び同格子金網１’を用いた格子形フェンス１は、上述したように、２本の線材４、４を相互に捻って形成された複数の縦格子材２の捻りの一つへ横線材３を通した簡易な構成であるから比較的安価に製造でき、生産性が高い。
【００３３】
しかも、横線材３の変化に伴って縦格子材２も上下方向へ移動する構成なので、前記格子形フェンス１を山間部等の傾斜地に設置する場合は、図８で示したように、横線材３の向きを傾斜地と平行な向きに向けることができる。つまり、例え凹凸の激しい傾斜地であっても、その傾斜地に合わせて、現地で容易に変形させ設置できる。設置された格子形フェンス１は、地面とフェンス１との間に無用な隙間が生じることがないので、防獣効果も高くなり、意匠性に優れた外観も得ることができるのである。
【００３４】
さらに、前記縦格子材２の下端は、図４Ｂで示したように、相互に捻られた線材４の捻りが解かれ地面にハの字形状に若干の長さ埋め込まれているので、小動物が、地面を掘って侵入することを防ぐことができ、より一層、フェンスとしての効果を呈する。しかも、ハの字形状の下端が大木の根の如くしっかりと地中に固定されているので、たとえ降雪地帯であっても、その雪の重みに耐えかねて屈曲等する心配もない（請求項１４記載の発明）。
【実施例２】
【００３５】
上記フェンス用格子金網を支柱へ取り付けて格子形フェンスを形成する実施例２を図９〜図１４に基づいて説明する。本実施例は、フェンス用格子金網１’の横線材３（及び横格子材）の両端にカールナックルが無い場合の実施例である。
図９は、本実施例の格子形フェンス１の全体図を示し、図１０及び図１１はフェンス用格子金網１’の横線材３の支柱固定構造の詳細を示している。
本実施例の格子形フェンス１は、両端にカールナックルが無いフェンス用格子金網１’の横線材３又は後述の横格子材の端部を支柱９の位置でラップさせることを特徴としている。即ち、横線材３の端部は、前記支柱９の前面に重ね合わされる。前記のように重ね合わされた横線材３の端部を抱き抱える図示例では下向きのフック部１８、１８を備えた平面視（図１０参照）がＵ字形状の固定具１７で前記端部が支柱９に支持・固定されている。具体的には、平面視（図１０参照）が略Ｕ字形状をなし、側面方向（図１１参照）に見ると先端に下向きフック部１８、１８を備えた両腕の後背部にナット２０が設けられ、該ナット２０に支柱９の背面へ突き当たる押しボルト１９がねじ込まれて成るＵ字形状固定具１７の前記フック部１８、１８で、前記支柱９の前面に重ね合わされた横線材３の端部が脱落しないようにしっかりと抱き抱えられている。この状態で、前記押しボルト１９を回してねじ込み、支柱９の背面へ強く押し当てると、前記支柱９に生じた反力により横線材３が支柱９の前面へ引き付けられ固定される。なお、傾斜地等に設置した支柱９と横線材３との傾きに従わせる余裕を与えるために、前記Ｕ字形状固定具１７の両腕の内周縁は、平面視において支柱９の外周縁よりも少し大きく（図１０の隙間Ｒ）形成されている（請求項１１、１５及び１６記載の発明）。因みに、前記フック部１８は上向き形状に実施することもできる。
【００３６】
次に、本実施例の格子形フェンス１の場合も、縦格子材２を構成する２本の線材の上端部には、カールナックル６が隣接して形成されおり、各縦格子材２のカールナックル６にワイヤーロープ等の胴縁線１２が共通に通される。該胴縁線１２は支柱９の上方背面にボルト２１で接合されたＵ字状フック部２２へ通され、図９に示す如く端位置の支柱９に沿って下向きに導かれ、ターンバックル２５を用いて固定リング２６へ止着、支持されている。前記胴縁線１２の端部を支柱９に沿って下向きに方向転換させる手段として、図１２〜図１４に示すように、支柱９の上方側面にボルト２３で滑車機構２４のベースプレート２７が接合されている。前記胴縁線１２は、向きが水平と垂直に異なる２つの滑車２４ａ、２４ｂを介して下方へと伸び、支柱９の下方位置でターンバックル２５（図９参照）よって引き締められ固定リング２６に止着されている。
【実施例３】
【００３７】
本実施例３の場合、フェンス用格子金網１’は、図１５Ａ、Ｂに示したように、既設フェンス１５の支柱上に設置された新設の支柱９…間に取り付けてフェンスのせいを嵩上げした構成とされている。本実施例のフェンス用格子金網１’は、横線材３の両端部にのみカールナックル６が形成されており、縦格子材２はその先端が捻られただけの構成である。また、新設の支柱９に設置された最上段及び最下段のＬ型フック１０（図５参照）の頭部には、図７に示すように、ネジ部１０’が形成されており、該Ｌ型フック１０に掛け止められた横格子材３のカールナックル６は、ワッシャー１３を挟んでねじ込んだナット１４で固定されている。
【実施例４】
【００３８】
もちろん、図１６に示すように、複数の縦格子材の一部がさらに上方に伸びて忍び８を形成した構成で実施することもできる。
本実施例４のフェンス用格子金網１’は、前記忍び８を形成する縦格子材２ａが疎なピッチ（例えば３本おき）で配置され、前記疎なピッチの間に忍びを形成しない縦格子材２ｂが複数本等ピッチで平行に配置されている。前記縦格子材２は、忍びを形成しない縦格子材２ｂの上端部にのみカールナックル６が形成されている（図１７参照）。前記忍びがない縦格子材２ｂを支柱９に支持させる構成は、上記実施例１と同様、カールナックル６に通された胴縁線１２が忍びを形成しない縦格子材２ｂと同じ高さで設置された支柱９のアイボルト１１に通されている。また、忍び８を形成する縦格子材２ａの上端部と横格子材３を支柱９に支持させる構成は、上記実施例３と同じである（請求項６及び１２記載の発明）。なお、本実施例４の縦格子材２ａ、２ｂの捻りのピッチについても、全長にわたり等ピッチの捻りに構成して実施することも好ましい。
【実施例５】
【００３９】
実施例５のフェンス用格子金網１’は、図１８に示したように、支柱９へは取り付けず、既設のフェンス１６の下方の地面との隙間Ｓを埋めるように設置されている。本実施例５のフェンス用格子金網１’における縦格子材２は、密な等ピッチで捻られており（図１９参照）、該縦格子材２の下端が若干の長さ地面に突き刺して固定される。かくすると、小動物等が前記隙間Ｓを潜って侵入することを防止することができる。
【実施例６】
【００４０】
上記各実施例のフェンス用格子金網１’における縦格子材２と横線材３とは、図示は省略したが、その構成を逆にして、即ち、横線材は２本の線材に捻った横格子材として形成し、縦格子材を単線として実施してもよい（請求項３、４及び８記載の発明）。
【００４１】
以上に本発明の実施例を説明したが、本発明はこうした実施例に何ら限定されるものではなく、本発明の要旨を逸脱しない範囲において、種々の形態で実施し得る。
【図面の簡単な説明】
【００４２】
【図１】本発明に係るフェンス用格子金網の実施例１を示した正面図である。
【図２】Ａは図１のＡ−Ａ矢視拡大図、ＢはＡの拡大平面図である。
【図３】Ａは図２のＢ−Ｂ矢視拡大断面図、ＢはＡのＣ−Ｃ矢視拡大断面図である。
【図４】Ａは図１のフェンス用格子金網を支柱へ取り付けた実施例を示した立面図、Ｂは格子形フェンスの下方部分を拡大して示した立面図である。
【図５】フェンス用格子金網を支持する支柱の斜視図である。
【図６】横格子材のカールナックルを支柱のＬ型フックで掛け止めた一例を示した拡大図である。
【図７】横格子材のカールナックルを支柱のＬ型フックで掛け止めた異なる一例を示した拡大図である。
【図８】傾斜地に設置した場合の格子形フェンスを例示した立面図である。
【図９】本発明に係る格子形フェンスの実施例２を示した立面図である。
【図１０】Ｕ字形状固定具で横線材を支柱に固定した実施例を示す平面図である。
【図１１】図１０の正面図である。
【図１２】滑車機構を示した斜視図である。
【図１３】滑車機構を拡大して示した平面図である。
【図１４】滑車機構を拡大して示した背面図である。
【図１５】Ａは本発明に係る格子形フェンスの実施例３を示した立面図であり、ＢはＡの右側面図である。
【図１６】本発明に係る格子形フェンスの実施例４を示した立面図である。
【図１７】図１６のＸ部のフェンス用格子金網部分のみの拡大図である。
【図１８】本発明に係る格子形フェンスの実施例５を示した立面図である。
【図１９】図１８のＹ部の拡大図である。
【符号の説明】
【００４３】
１      格子形フェンス
１’    フェンス用格子金網
２      縦格子材
３      横線材
４      線材
５      凹部
６      カールナックル
８      忍び
９      支柱
１０    Ｌ型フック
１０’  ネジ部
１１    アイボルト
１２    胴縁線
１４    ナット
１７    Ｕ字形状固定具
１８    フック部
１９    押しボルト
【図１】
2006122047.tif 000003
【図２】
2006122047.tif 000004
【図３】
2006122047.tif 000005
【図４】
2006122047.tif 000006
【図５】
2006122047.tif 000007
【図６】
2006122047.tif 000008
【図７】
2006122047.tif 000009
【図８】
2006122047.tif 000010
【図９】
2006122047.tif 000011
【図１０】
2006122047.tif 000012
【図１１】
2006122047.tif 000013
【図１２】
2006122047.tif 000014
【図１３】
2006122047.tif 000015
【図１４】
2006122047.tif 000016
【図１５】
2006122047.tif 000017
【図１６】
2006122047.tif 000018
【図１７】
2006122047.tif 000019
【図１８】
2006122047.tif 000020
【図１９】
2006122047.tif 000021